(57)【要約】【課題】便器自体に内装した照明手段によりボウル部内を広く効果的に照らすことができる。【解決手段】ボウル部１内を照らす照明手段６を便器５自体に設けてボウル部１内をし照明する。【選択図】図１
2008095446.tif 000002
【特許請求の範囲】
【請求項１】
ボウル部内を照らす照明手段を便器自体に設けて成ることを特徴とする便器。
【請求項２】
便器のボウル部の上開口の周囲に便座載置部を設け、便座載置部の下面部にボウル部内を照らす照明手段を設けて成ることを特徴とする請求項１記載の便器。
【請求項３】
便座載置部の後部の下面部にボウル部内を照らす照明手段を設けて成ることを特徴とする請求項２記載の便器。
【請求項４】
便器の壁部外面部に便器を設置する床面を照らす床面照明手段を設けて成ることを特徴とする請求項１乃至請求項３のいずれか一項に記載の便器。
【発明の詳細な説明】
【技術分野】
【０００１】
本発明は、ボウル内を照らすことができる便器に関するものである。
【背景技術】
【０００２】
従来から、便器に便器とは別体の温水洗浄便座装置を載置して取付けるものが知られている。そして、この温水洗浄便座装置は便器に載置して取付けられる温水洗浄機構を内蔵した本体部に便座、弁蓋を回動自在に取付けて構成してある。上記のような温水洗浄便座装置に便器のボウル部内を照らすための照明手段が設けたものが特許文献１により知られている。
【０００３】
上記従来例にあっては、便器のボウル部内を照らすには便器とは別体の温水洗浄便座装置を別途取付ける必要があり、また、便器の後部の上面部に載置して取付ける温水洗浄便座装置の本体内に照明手段が設けてあるので、便器よりも上方に照明手段が位置し、便器のボウル部内を広く照らすことができないという問題があった。特に、温水洗浄便座装置は、形状やサイズが異なる種々の便器に載置して取付けられるものであるから、この点でも便器のボウル部内を広く確実に照明し難い。
【特許文献１】特開２００６−３４９９３号公報
【発明の開示】
【発明が解決しようとする課題】
【０００４】
本発明は上記の従来の問題点に鑑みて発明したものであって、便器自体に内装した照明手段によりボウル部内を広く効果的に照らすことができる便器を提供することを課題とするものである。
【課題を解決するための手段】
【０００５】
上記課題を解決するために本発明に係る便器は、ボウル部１内を照らす照明手段６を便器５自体に設けて成ることを特徴とするものである。
【０００６】
このような構成とすることで、便器５自体に設けた照明手段６によりボウル部１内を照らすことができるので、ボウル部１内を照明するに当って、従来のような照明手段を備えた別体の温水洗浄便座装置を便器５に取付けるというようなことを必要とせず、ボウル部１内を広く効果的に照明できる。また、便器５自体に照明手段６を設けるので、便器５の形状やサイズが異なるものであっても、該当する便器に対応してボウル部１内を効果的に照らすように便器５に照明手段６を装備することができるので、ボウル部１内を広く効果的に照明できる。
【０００７】
また、便器５のボウル部１の上開口の周囲に便座載置部２を設け、便座載置部２の下面部にボウル部１内を照らす照明手段６を設けることが好ましい。
【０００８】
このような構成とすることで、ボウル部１内を照明する照明手段６が外から見えず外観が良くなると共に便座載置部２の下面部に設けた照明手段６からの光がボウル部１の外に直接光として出ることがなくて、ボウル部１のみを効果的に照明できる。
【０００９】
また、便座載置部２の後部の下面部にボウル部１内を照らす照明手段６を設けることが好ましい。
【００１０】
このような構成とすることで、ボウル部１の底部の後部に設けられる水溜め部１４ｂを照明手段６により効果的に照明できて、排泄物の状態を確認しやすい。
【００１１】
また、便器５の壁部外面部に便器を設置する床面を照らす床面照明手段９を設けることが好ましい。
【００１２】
このような構成とすることで、便器５を設置する床面を照らして夜間にトイレ室内の照明を消灯した状態でも便器５の位置が確認できる。
【発明の効果】
【００１３】
本発明は、上記のように、便器自体にボウル部内を照らす照明手段を設けてあるので、ボウル部内の照明に当って、従来のように照明手段を備えた別途温水洗浄便座装置を便器に取付けるというようなことが必要でなく、すっきりした外観の便器とすることができる。また、ボウル部内を照らすことで、夜間、半覚醒状態でトイレに行く際、トイレ室の照明を消灯した状態でも便器のボウル部の位置が確認できるので、トイレ室の照明により覚醒されることなく用を足すことができる。また、ボウル部内を照らすことができるので、排泄物の観察ができて体調を確認することができる。
【発明を実施するための最良の形態】
【００１４】
以下、本発明を添付図面に示す実施形態に基いて説明する。便器５にはボウル部１が設けてあり、ボウル部１の上端開口縁部には全周にわたって便座載置部２が設けてあり、この便座載置部２の内周部はボウル部１内側に向けてむけて突出していている。添付図面に示す実施形態では便座載置部２はリム部２ａにより構成してある。
【００１５】
ボウル部１の上端開口縁部に設けた便座載置部２を構成するリム部２ａの下面側には案内凹部３を形成してあり、この案内凹部３は全長にわたってボウル部１内に向けて側方が開口して側方開口７となっている。
【００１６】
添付図面に示す実施形態においては、ボウル部１を備えた便器５はその主体部分が合成樹脂製となっているが、一部又は全文が陶器製であってもよい。
【００１７】
添付図面に示す実施形態では、便器５は、ボウル部１を備えた前パーツ１０と、後パーツ１１と、支持フレーム１２とで構成してあり、便器５の主体を構成する前パーツ１０、後パーツ１１は共に合成樹脂製である。
【００１８】
前パーツ１０は水平断面略Ｃ字状をしたスカート部１３と、スカート部１３内の上部に嵌め込んで溶着一体化されたボウル部１と、更にボウル部１の上に嵌め込んでボウル部１の上端縁部及びスカート部１３の上端縁部に溶着一体化されたリム部２ａとで構成してある。
【００１９】
スカート部１３の前部の左右両側壁の下部には便器を設置する床面を照らす床面照明手段９と、小鳥の鳴き声や清流の音等を出すためのスピーカ４０とが設けてある。
【００２０】
後パーツ１１は、上カバー１６、装置支持ケース１７、リアカバー１８、上サイドカバー１９、下サイドカバー２０により構成してあり、これらはいずれも合成樹脂製である。
【００２１】
支持フレーム１２は金属製であって、前パーツ１０を支持フレーム１２にねじ具により取付け、後パーツ１１の装置支持ケース１７に局部洗浄用の温水洗浄装置２１ａ、局部乾燥用の送風装置２１ｂ、ボウル部１内の臭気を脱臭するための脱臭装置２１ｃ、人体検知センサ（図示せず）、ＬＥＤのような発光部よりなる照明手段６、洗浄水噴出部４を構成する洗浄ノズル４ａ等の便器付属装置２１が取付けてあり、この装置支持ケース１７を支持フレーム１２にねじ具により取付けて支持してある。上カバー１６は装置支持ケース１７を覆うようにして取付けられるもので、上カバー１６には便座２２、便蓋２３が回動自在に取付けてある。リアカバー１８は、装置支持ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００２２】
ボウル部１の底部の後部には後方向に向けて排水筒部１４ａを突設した水溜め部１４ｂが形成してある。
【００２３】
排水筒部１４ａにはトラップの一端部が接続される。本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１内の下部、排水筒部１４ａ、トラップ筒内に水が溜まった状態となっていて、この状態で大便や小便を行い、大便や小便が終わると、後述のように洗浄水を流すと共に、トラップ筒を回動してトラップ構造を解除する状態にして、汚物と共に汚水を排水するようになっている。上記フレキシブルなトラップ筒、モータ等はトラップケース３４内に収納してあり、該トラップケース３４は金属製の支持フレーム１２に取付けてある。なお、トラップケースの下部は開口していてトラップ筒の端部が床に形成される排水筒に接続される。
【００２４】
添付図面に示す実施形態においては、図５に示すように、ボウル部１の上端開口縁部の全周にわたって形成したリム部２ａの後部の内周面には温水洗浄装置２１ａに設けた洗浄ノズル２４をボウル部１内に出し入れするための洗浄ノズル出し入れ用開口部２５を設けると共に送風装置２１ｂのダクト先端部から噴出する温風又は冷風をボウル部１内に吹き出すための送風用開口部２６が左右に並べて設けてあり、また、リム部２ａの後端部の下面には上記洗浄ノズル出し入れ用開口部２５、送風用開口部２６から左右方向にずれた位置に、脱臭装置２１ｃに連通するボウル部１内臭気を吸込むための脱臭用開口部２７を設けると共に、ボウル部１内を明るく照らすためのＬＥＤのような発光部よりなる照明手段６が臨む発光用開口部２９が設けてある。図１には便器５を組み立てた状態で照明手段６が便座載置部２を構成するリム部２ａの下面に設けた発光用開口部２９に臨んでいる状態が示してある。
【００２５】
便座２２を倒した際に便座２２が載置される便座載置部２を構成するリム部２ａの下面側は全周にわたって側方に開口した案内凹部３となっているが、この案内凹部３の後端部の左右方向の一端部には洗浄水噴出部４を構成する洗浄ノズル４ａが嵌め込まれる洗浄ノズル嵌め込み口３０が設けてあり、該洗浄ノズル嵌め込み口３０の側部が仕切り壁部となっている。したがって、洗浄水噴出部４から案内凹部３の後端部の左右方向の一端部に噴出された洗浄水は案内凹部３内を旋回しながら流れつつ一部が案内凹部３の側方開口７の下端縁部部分から徐々にボウル部１内に旋回流となって流れ、この旋回流によりボウル部１内が洗浄されることになる。
【００２６】
上記のような構成の便器５において、便器５自体にボウル部１内を照らす照明手段６を備えているので、照明手段６でボウル部１内を効果的に照らすことができる。
【００２７】
ボウル部１内を照明手段６により照らすのは、手動スイッチを操作することで、照明手段６を点灯してボウル部１内を照らすようにしてもよく、あるいは、便器５に設けた人体検知センサにより人体を検知することで、照明手段６を点灯してボウル部１内を照らすようにしてもよい。
【００２８】
ボウル部１内を明るく照らすことで、ボウル部１内の掃除がし易くなり、また、排泄物の観察が良好にできて、体調、健康状態の確認が容易にできる。
【００２９】
また、夜間、寝ている時にトイレに行く場合、トイレ室の照明が点灯していると、半覚醒状態の人が覚醒状態になってしまって、トイレ使用後に眠れなくなるということがあるが、トイレ室の照明を消灯した状態でボウル部１内を照らすことで、半覚醒状態のままトイレの使用ができ、トイレ使用後にスムーズに眠りに入ることが可能となる。
【００３０】
また、便器５の壁部外面部に便器を設置する床面を照らす床面照明手段９を設けてあるので、夜間に便器５を設置する床面を照らすようにすることができる。これにより夜間にトイレ室内の照明を消灯した状態でも便器５の位置が確認でき、上記ボウル部１内の照明効果と相まって、半覚醒状態のままトイレの使用を使用する際、便器５の位置、便器５におけるボウル部１の位置が確認できるので、よりいっそう、間違うことなく、夜間にトイレの使用ができる。
【００３１】
上記実施形態においてはターントラップ式の便器５の例で説明したが、これにのみ限定されず、サイフォン式やサイフォンジェット式、あるいは洗い流し式のものであってもよい。
【００３２】
また、上記実施形態では案内凹部３をボウル部１の両側、前部、及び後部に連続するように設けた例を示したが、ボウル部１の両側と前部に連続するように形成し、後部には設けないようにしてもよい。この場合は、リム部２ａの後部下面に照明手段６を設けることで、洗浄水が照明手段６にかからないようにできる。
【図面の簡単な説明】
【００３３】
【図１】本発明の便器の断面図である。
【図２】同上の斜視図である。
【図３】同上の分解斜視図である。
【図４】前パーツの分解斜視図である。
【図５】リム部の下面図である。
【符号の説明】
【００３４】
１  ボウル
２  便座載置部
５  便器
６  照明手段
９  床面照明手段
【図１】
2008095446.tif 000003
【図２】
2008095446.tif 000004
【図３】
2008095446.tif 000005
【図４】
2008095446.tif 000006
【図５】
2008095446.tif 000007